(57)【要約】  複数のサブフレームを含む無線フレームを用いて、移動通信デバイスが通信システムの通信装置と通信する通信システムが開示される。移動通信デバイスは、参照信号を送信するために通信装置によって用いられる電力と、無線サブフレームの第１のサブフレームにおいてデータを送信するために用いられる第１の電力との比を表す、第１の電力比を特定する際に用いる情報を受信する。移動通信デバイスは、参照信号を送信するために通信装置によって用いられる電力と、上記無線サブフレームの第２のサブフレームにおいてデータを送信するために用いられる第２の電力との比を表す、第２の電力比を特定する際に用いる情報を受信する。移動通信デバイスは、第１の電力比及び第２の電力のうちの少なくとも１つに応じて計算された情報を含む測定報告を生成する。
2015510282.tif 000002
【特許請求の範囲】
【請求項１】
セルラー通信システムのための移動通信デバイスであって、該移動通信デバイスは、
複数のサブフレームを含む無線フレームを用いて、前記セルラー通信システムの通信装置と通信する手段を備え、
前記通信する手段は、
前記通信装置から、
参照信号を送信するために前記通信装置によって用いられる電力と、無線フレームの第１のサブフレームにおいてデータを送信するために用いられる第１の電力との比を表す、第１の電力比を特定する際に用いる情報と、
参照信号を送信するために前記通信装置によって用いられる電力と、前記無線フレームの第２のサブフレームにおいてデータを送信するために用いられる第２の電力との比を表す、第２の電力比を特定する際に用いる情報と、
を受信する手段と、
前記通信装置に、前記第１の電力比及び前記第２の電力比の少なくとも１つに応じて計算された情報を含む測定報告を送信する手段と、
を備える、移動通信デバイス。
【請求項２】
前記第２のサブフレームはオールモストブランクサブフレーム（ＡＢＳ）を含む、請求項１に記載の移動通信デバイス。
【請求項３】
前記第２のサブフレームは非ゼロ電力オールモストブランクサブフレーム（ＡＢＳ）を含む、請求項１又は２に記載の移動通信デバイス。
【請求項４】
前記第１のサブフレームはオールモストブランクサブフレーム（ＡＢＳ）以外のサブフレームを含む、請求項１乃至３のいずれか一項に記載の移動通信デバイス。
【請求項５】
前記第２の電力比を特定する際に用いる情報は、前記第１の電力比と前記第２の電力比との間の差を特定する情報を含む、請求項１乃至４のいずれか一項に記載の移動通信デバイス。
【請求項６】
前記第１の電力比及び前記第２の電力比の少なくとも１つに応じて計算された前記情報は、チャネル品質指示子（ＣＱＩ）を含む、請求項１乃至５のいずれか一項に記載の移動通信デバイス。
【請求項７】
移動（セルラー）電話から成る、請求項１乃至６のいずれか一項に記載の移動通信デバイス。
【請求項８】
セルラー通信システムのための通信装置であって、該通信装置は、
複数のサブフレームを含む無線フレームを用いて、前記セルラー通信システムの移動通信デバイスと通信する手段を備え、
前記通信する手段は、
移動通信デバイスに、
参照信号を送信するために用いられる電力と、無線フレームの第１のサブフレームにおいてデータを送信するために用いられる第１の電力との比を表す、第１の電力比を特定する際に用いる情報と、
参照信号を送信するために用いられる電力と、前記無線フレームの第２のサブフレームにおいてデータを送信するために用いられる第２の電力との比を表す、第２の電力比を特定する際に用いる情報と、
を送信する手段と、
前記移動通信デバイスから、前記第１の電力比及び前記第２の電力比の少なくとも１つに応じて計算された情報を含む測定報告を受信する手段と、
を備える、通信装置。
【請求項９】
前記第２のサブフレームはオールモストブランクサブフレーム（ＡＢＳ）を含む、請求項８に記載の通信装置。
【請求項１０】
前記第２のサブフレームは非ゼロ電力オールモストブランクサブフレーム（ＡＢＳ）を含む、請求項８又は９に記載の通信装置。
【請求項１１】
前記第１のサブフレームはオールモストブランクサブフレーム（ＡＢＳ）以外のサブフレームを含む、請求項８乃至１０のいずれか一項に記載の通信装置。
【請求項１２】
前記第２の電力比を特定する際に用いる情報は、前記第１の電力比と前記第２の電力比との間の差を特定する情報を含む、請求項８乃至１１のいずれか一項に記載の通信装置。
【請求項１３】
前記第１の電力比及び前記第２の電力比の少なくとも１つに応じて計算された前記情報は、チャネル品質指示子（ＣＱＩ）を含む、請求項８乃至１２のいずれか一項に記載の通信装置。
【請求項１４】
基地局から成る、請求項８乃至１３のいずれか一項に記載の通信装置。
【請求項１５】
セルラー通信システムの移動通信デバイスによって実行される方法であって、該方法は、
複数のサブフレームを含む無線フレームを用いて、前記セルラー通信システムの通信装置と通信することを含み、
前記通信することは、
前記通信装置から、
参照信号を送信するために前記通信装置によって用いられる電力と、無線フレームの第１のサブフレームにおいてデータを送信するために用いられる第１の電力との比を表す、第１の電力比を特定する際に用いる情報と、
前記第２の電力比は、参照信号を送信するために前記通信装置によって用いられる電力と、前記無線フレームの第２のサブフレームにおいてデータを送信するために用いられる第２の電力との比を表す、第２の電力比を特定する際に用いる情報と、
を受信することと、
前記通信装置に、前記第１の電力比及び前記第２の電力比の少なくとも１つに応じて計算された情報を含む測定報告を送信することと、
を含む、方法。
【請求項１６】
セルラー通信システムの通信装置によって実行される方法であって、該方法は、
複数のサブフレームを含む無線フレームを用いて、前記セルラー通信システムの移動通信デバイスと通信することを含み、
前記通信することは、
前記移動通信デバイスに、
参照信号を送信するために用いられる電力と、無線フレームの第１のサブフレームにおいてデータを送信するために用いられる第１の電力との比を表す、第１の電力比を特定する際に用いる情報と、
参照信号を送信するために用いられる電力と、前記無線フレームの第２のサブフレームにおいてデータを送信するために用いられる第２の電力との比を表す、第２の電力比を特定する際に用いる情報と、
を送信することと、
前記移動通信デバイスから、前記第１の電力比及び前記第２の電力比の少なくとも１つに応じて計算された情報を含む測定報告を受信することと、
を含む、方法。
【請求項１７】
セルラー通信システムのための移動通信デバイスであって、該移動通信デバイスは、通信装置から、参照信号を送信するために用いられる電力と、無線フレームのサブフレームにおいてデータを送信するために用いられる電力との比を表す電力比であって、前記無線フレームのどのサブフレームに関連するかに応じて異なる前記電力比を特定する際に用いる情報を受信する手段と、前記電力比に応じて計算された情報を含む測定報告を生成する手段とを備える、移動通信デバイス。
【請求項１８】
セルラー通信システムのための通信装置であって、該通信装置は、移動通信デバイスに、参照信号を送信するために用いられる電力と、無線フレームのサブフレームにおいてデータを送信するために用いられる電力との比を表す電力比を特定する際に用いる情報を送信する手段を備え、前記電力比は、前記無線フレームのどのサブフレームに関連するかに応じて異なる、通信装置。
【請求項１９】
セルラー通信システムのための基地局であって、該基地局は、
前記移動通信システムの複数の移動通信デバイスと、該移動通信デバイスに割り当てられた複数のリソースブロックを用いて通信する手段と、
更なる基地局と通信する手段とを備え、該通信する手段は、前記複数のリソースブロックのうちの少なくとも１つに関連付けられる、過負荷、干渉及び電力制限のうちの少なくとも１つを特定するリソースブロック関連情報を、前記更なる基地局へ／から送信及び／又は受信する手段を含む、基地局。
【請求項２０】
前記リソースブロック関連情報はオールモストブランクサブフレームのリソースブロックに関連付けられる、請求項１９に記載の基地局。
【請求項２１】
前記リソースブロック関連情報は非ゼロ電力オールモストブランクサブフレームのリソースブロックに関連付けられる、請求項２０に記載の基地局。
【請求項２２】
前記通信する手段は、前記リソースブロック関連情報が特定のサブフレームに適用可能であるか否かの指示を、前記更なる基地局へ／から送信及び／又は受信するように動作可能である、請求項１９又は２０に記載の基地局。
【請求項２３】
前記通信する手段は、セル情報要素（ＩＥ）において前記リソースブロック情報を、前記更なる基地局へ／から送信及び／又は受信するように動作可能である、請求項１９乃至２２のいずれか一項に記載の基地局。
【請求項２４】
前記リソースブロック情報は、アップリンク通信及び／又はダウンリンク通信に関連する情報を含む、請求項１９乃至２３のいずれか一項に記載の基地局。
【請求項２５】
前記リソースブロック情報は、関連付けられるリソースブロックの電力制限を特定する、請求項１９乃至２４のいずれか一項に記載の基地局。
【請求項２６】
前記リソースブロック情報は、関連付けられるリソースブロックの干渉感度が高いか又は低いかを示す、請求項１９乃至２５のいずれか一項に記載の基地局。
【請求項２７】
前記リソースブロック情報は、複数のリソースブロックのそれぞれに関連付けられるそれぞれのリソースブロック情報を含む、請求項１９乃至２６のいずれか一項に記載の基地局。
【請求項２８】
前記更なる基地局と通信する手段は、Ｘ２インターフェースを介して前記更なる基地局と通信するように動作可能である、請求項１９乃至２７のいずれか一項に記載の基地局。
【請求項２９】
セルラー通信システムの基地局によって実行される方法であって、該方法は、
前記セルラー通信システムの複数の移動通信デバイスと、該移動通信デバイスに割り当てられた複数のリソースブロックを用いて通信することと、
更なる基地局と通信することとを含み、該通信することは、前記複数のリソースブロックのうちの少なくとも１つに関連付けられる、過負荷、干渉及び電力制限のうちの少なくとも１つを特定するリソースブロック関連情報を、前記更なる基地局へ／から送信及び／又は受信することを含む、方法。
【請求項３０】
請求項８乃至１４のいずれか一項に記載の通信装置と、請求項１乃至７のいずれか一項に記載の移動通信デバイスとを備える通信システム。
【請求項３１】
移動通信デバイスに割り当てられた複数のリソースブロックを用いて前記通信システムの複数の移動通信デバイスと通信する手段と、
更なる基地局と通信する手段とを備え、該通信する手段は、前記複数のリソースブロックのうちの少なくとも１つに関連付けられる、過負荷、干渉及び電力制限のうちの少なくとも１つを特定するリソースブロック関連情報を、前記更なる基地局へ／から送信及び／又は受信する手段を含む、基地局と、
前記基地局と通信するように動作可能である移動通信デバイスと、
を備える、通信システム。
【発明の詳細な説明】
【技術分野】
【０００１】
本発明は、移動通信デバイス及び移動通信ネットワークに関し、限定はしないが、特に、第３世代パートナーシッププロジェクト（３ＧＰＰ）標準規格又はその均等物若しくは派生物に従って動作する移動通信デバイス及び移動通信ネットワークに関する。本発明は、限定はしないが、特に、ＵＴＲＡＮのロングタームエボリューション（ＬＴＥ）（発展型ユニバーサル地上無線アクセスネットワーク（Ｅ−ＵＴＲＡＮ）と呼ばれる）に関連する。
【背景技術】
【０００２】
無線通信ネットワークでは、従来から、所与の地理的エリアが複数のセルに分割される。ネットワークの各セル（それゆえ、セル内の各移動通信デバイス）は基地局によってサービングされる。基地局の動作は基地局コントローラによって制御され、基地局コントローラは基地局の一部として、又は別のエンティティとして実現することができる。基地局は、サービングされる移動通信デバイスに対して最適な無線チャネル品質を確保するために、その送信電力及び／又は方向を動的に調整することができる。
【０００３】
更なるネットワーク容量又は固有の１組のサービスが必要とされる、オフィスビル等の相対的に小さな地理的エリアでは、無線ネットワークの正規の（すなわち、「マクロ」）セル内に（又は部分的に重なり合うように）、いわゆる「ピコ」セルを実現することができる。場合によっては、ピコセルは家又は１つの部屋だけをカバーする。ピコセルは、より小さなカバレッジエリア内でサービスを提供しながら、より大きなインフラストラクチャーの一部を実効的に形成する。
【０００４】
システムリソースの使用率を最大にするには、これらのマクロセル及びピコセルをサービングする基地局による送信を同期して、これらのマクロセル及びピコセル間の有害な干渉、及び基地局によってサービングされる移動通信デバイスに対して引き起こされる干渉を回避又は低減する必要がある。それゆえ、送信品質を低下させることなく、最大数の移動通信デバイスを並行して最適なデータ速度でサービングできるように、基地局によって送信電力を選択することができる。基地局レベル又はセルレベルにおいて送信電力を制御することができ、その一方で、各移動通信デバイスに対して、及び／又は基地局と移動通信デバイスとの間でデータを交換するために用いられる通信単位（フレーム、サブフレーム、リソース要素、リソースブロック、シンボル等）に対して、特定の電力レベルを割り当てることもできる。ＬＴＥネットワークの関連する態様が、３ＧＰＰ  ＴＳ  ３６．３３１  ｖ１０．４．０及び３ＧＰＰ  ＴＲ  ３６．２１３  ｖ１０．４．０において規定されており、それらは３ＧＰＰウェブサイトからダウンロードして入手することができる。
【０００５】
しかしながら、現在の提案は送信電力制御の幾つかの特定の態様に対処することができない。詳細には、通信単位が低減された電力において送信されるときに、チャネル品質測定において誤りが生じる可能性がある。具体的には、セル間干渉を解消するために送信電力が一時的に調整されるとき、ＬＴＥによって利用されるフィードバック機構の一部として、移動通信デバイスは、そのサービング基地局に対して信号品質低下を誤って示すおそれがある。
【０００６】
別の問題は、通信システムが理想的には後方互換性を維持すること、それゆえ、任意の確立された機構を、関連する標準規格の早期のリリースに従って動作している移動通信デバイスに影響を及ぼすことになるようなやり方で変更できないことである。
【０００７】
しかしながら、これらの通信システムは益々複雑になりつつあるので、新規の機構を導入することは難しい課題である。
【発明の概要】
【発明が解決しようとする課題】
【０００８】
本発明は、移動通信ネットワーク内のシステムリソースを制御するための代替のシステムを提供することを目的とする。
【課題を解決するための手段】
【０００９】
本発明の１つの様態によれば、セルラー通信システムのための移動通信デバイスであって、該移動通信デバイスは、複数のサブフレームを含む無線フレームを用いて、前記セルラー通信システムの通信装置と通信する手段を備え、前記通信する手段は、前記通信装置から、参照信号を送信するために前記通信装置によって用いられる電力と、無線フレームの第１のサブフレームにおいてデータを送信するために用いられる第１の電力との比を表す、第１の電力比を特定する際に用いる情報と、参照信号を送信するために前記通信装置によって用いられる電力と、前記無線フレームの第２のサブフレームにおいてデータを送信するために用いられる第２の電力との比を表す、第２の電力比を特定する際に用いる情報と、を受信する手段と、前記通信装置に、前記第１の電力比及び前記第２の電力比の少なくとも１つに応じて計算された情報を含む測定報告を送信する手段と、を備える、移動通信デバイスが提供される。
【００１０】
本発明の１つの様態によれば、セルラー通信システムのための通信装置であって、該通信装置は、複数のサブフレームを含む無線フレームを用いて、前記セルラー通信システムの移動通信デバイスと通信する手段を備え、前記通信する手段は、移動通信デバイスに、参照信号を送信するために用いられる電力と、無線フレームの第１のサブフレームにおいてデータを送信するために用いられる第１の電力との比を表す、第１の電力比を特定する際に用いる情報と、参照信号を送信するために用いられる電力と、前記無線フレームの第２のサブフレームにおいてデータを送信するために用いられる第２の電力との比を表す、第２の電力比を特定する際に用いる情報と、を送信する手段と、前記移動通信デバイスから、前記第１の電力比及び前記第２の電力比の少なくとも１つに応じて計算された情報を含む測定報告を受信する手段と、を備える、通信装置が提供される。
【００１１】
本発明の１つの様態によれば、セルラー通信システムの移動通信デバイスによって実行される方法であって、該方法は、複数のサブフレームを含む無線フレームを用いて、前記セルラー通信システムの通信装置と通信することを含み、前記通信することは、前記通信装置から、参照信号を送信するために前記通信装置によって用いられる電力と、無線フレームの第１のサブフレームにおいてデータを送信するために用いられる第１の電力との比を表す、第１の電力比を特定する際に用いる情報と、参照信号を送信するために前記通信装置によって用いられる電力と、前記無線フレームの第２のサブフレームにおいてデータを送信するために用いられる第２の電力との比を表す、第２の電力比を特定する際に用いる情報と、を受信することと、前記通信装置に、前記第１の電力比及び前記第２の電力比の少なくとも１つに応じて計算された情報を含む測定報告を送信することと、を含む、方法が提供される。
【００１２】
本発明の１つの様態によれば、セルラー通信システムの通信装置によって実行される方法であって、該方法は、複数のサブフレームを含む無線フレームを用いて、前記セルラー通信システムの移動通信デバイスと通信することを含み、前記通信することは、前記移動通信デバイスに、参照信号を送信するために用いられる電力と、無線フレームの第１のサブフレームにおいてデータを送信するために用いられる第１の電力との比を表す、第１の電力比を特定する際に用いる情報と、参照信号を送信するために用いられる電力と、前記無線フレームの第２のサブフレームにおいてデータを送信するために用いられる第２の電力との比を表す、第２の電力比を特定する際に用いる情報と、を送信することと、前記移動通信デバイスから、前記第１の電力比及び前記第２の電力比の少なくとも１つに応じて計算された情報を含む測定報告を受信することと、を含む、方法が提供される。
【００１３】
本発明の１つの様態によれば、セルラー通信システムのための移動通信デバイスであって、該移動通信デバイスは、通信装置から、参照信号を送信するために用いられる電力と、無線フレームのサブフレームにおいてデータを送信するために用いられる電力との比を表す電力比であって、前記無線フレームのどのサブフレームに関連するかに応じて異なる、前記電力比を特定する際に用いる情報を受信する手段と、前記電力比に応じて計算された情報を含む測定報告を生成する手段とを備える、移動通信デバイスが提供される。
【００１４】
本発明の１つの様態によれば、セルラー通信システムのための通信装置であって、該通信装置は、移動通信デバイスに、参照信号を送信するために用いられる電力と、無線フレームのサブフレームにおいてデータを送信するために用いられる電力との比を表す電力比を特定する際に用いる情報を送信する手段を備え、前記電力比は、前記無線フレームのどのサブフレームに関連するかに応じて異なる、通信装置が提供される。
【００１５】
本発明の１つの様態によれば、セルラー通信システムのための基地局であって、該基地局は、前記移動通信システムの複数の移動通信デバイスと、該移動通信デバイスに割り当てられた複数のリソースブロックを用いて通信する手段と、更なる基地局と通信する手段とを備え、該通信する手段は、前記複数のリソースブロックのうちの少なくとも１つに関連付けられる、過負荷、干渉及び電力制限のうちの少なくとも１つを特定するリソースブロック関連情報を、前記更なる基地局へ／から送信及び／又は受信する手段を含む、基地局が提供される。
【００１６】
本発明の１つの様態によれば、セルラー通信システムの基地局によって実行される方法であって、該方法は、前記セルラー通信システムの複数の移動通信デバイスと、該移動通信デバイスに割り当てられた複数のリソースブロックを用いて通信することと、更なる基地局と通信することとを含み、該通信することは、前記複数のリソースブロックのうちの少なくとも１つに関連付けられる、過負荷、干渉及び電力制限のうちの少なくとも１つを特定するリソースブロック関連情報を、前記更なる基地局に送信へ／から及び／又は受信することを含む、方法が提供される。
【００１７】
本発明の１つの様態によれば、上記の様態による通信装置と、上記の様態による移動通信デバイスとを備える通信システムが提供される。
【００１８】
本発明の１つの様態によれば、移動通信デバイスに割り当てられた複数のリソースブロックを用いて前記通信システムの複数の移動通信デバイスと通信する手段と、更なる基地局と通信する手段とを備え、該通信する手段は、前記複数のリソースブロックのうちの少なくとも１つに関連付けられる、過負荷、干渉及び電力制限のうちの少なくとも１つを特定するリソースブロック関連情報を、前記更なる基地局へ／から送信及び／又は受信する手段を含む、基地局と、前記基地局を通信するように動作可能である移動通信デバイスと、を備える、通信システムが提供される。
【００１９】
本発明は、開示される全ての方法の場合に、対応する装置において実行するための対応するコンピュータプログラム又はコンピュータプログラム製品、機器自体（基地局、移動通信デバイス又はその構成要素等の機器）及び機器を更新する方法を提供する。
【００２０】
次に、本発明の例示的な実施形態を、例として、添付の図面を参照しながら説明する。
【図面の簡単な説明】
【００２１】
【図１】通信システムを示す概略図である。
【図２】図１の通信システムにおいて通信するために用いられる通常のサブフレームの図である。
【図３】図１に示される基地局の主要構成要素の簡略化されたブロック図である。
【図４】図１に示される移動通信デバイスの主要構成要素の簡略化されたブロック図である。
【図５】本発明の一実施形態による、基地局及び移動通信デバイスが従う手順を示すタイミング図である。
【図６】マクロ基地局及びピコ基地局によって並行して送信される一連の無線サブフレームを示す図である。
【発明を実施するための形態】
【００２２】
概説
図１は、移動（セルラー）通信システム１を概略的に示しており、そのシステムでは、複数の移動通信デバイス３−１、３−２、３−３、３−４、３−５、３−６、３−７のうちのいずれかのユーザが、複数の基地局５−１、５−２及び５−３のうちの１つ又は複数を介して、他のユーザと通信することができる。図１に示されるシステムでは、図示される各基地局５は、発展型ユニバーサル地上波無線アクセスネットワーク（Ｅ−ＵＴＲＡＮ）基地局である。
【００２３】
図１において、５−１を付された基地局は、いわゆる「マクロ」基地局から成り、マクロセル７等の地理的に相対的に大きな複数の「マクロ」セルで動く。マクロ基地局５−１はＸ２インターフェース（図示せず）を介して、幾つかの、いわゆる「ピコ」基地局５−２、５−３に接続され、ピコ基地局５−２、５−３は、それぞれ、相対的に小さなカバレッジエリア、いわゆるピコセル９−２及び９−３を持つ。
【００２４】
ピコセル９を設けるために用いられる電力はマクロセル７のために用いられる電力に比べて低く、それゆえ、ピコセル９はマクロセル７に比べて小さい。図１の移動通信システムの例において示されるように、１つのピコセル９−２の地理的カバレッジは、マクロセル７の地理的カバレッジの中に完全に入り、一方、他のピコセル９−３の地理的カバレッジは、マクロセル７の地理的カバレッジと部分的に重なり合う。
【００２５】
移動通信デバイス３−６のような、ピコセル９の境界付近に位置する移動通信デバイス３は、マクロセル７からの強い干渉を受ける場合がある。しかしながら、ピコ基地局５−２、５−３の近くに位置する移動通信デバイス３−３、３−５は、それぞれの場所においてピコ基地局５−２、５−３から受信される信号レベルがマクロ基地局５−１から受信される信号レベルより強いので、そのような干渉を受けない。
【００２６】
各基地局５は、無線フレーム（通常、それぞれ１０ｍｓの持続時間）のシーケンスにおいて信号を送信及び受信するように構成される。各無線フレームは複数のサブフレーム（通常、１ｍｓの持続時間）から成り、各サブフレームは一対のスロット（通常、０．５ｍｓの持続時間）から成る。各スロットは、時間に関しては複数のシンボル（標準サイクリックプレフィックスが用いられるか又は拡張サイクリックプレフィックスが用いられるかによるが、通常６シンボル又は７シンボル）に分割され、周波数に関しては複数のサブキャリアに分割され、それにより、それぞれが個々のサブキャリア及びシンボルによって特徴付けられる多数の個別のリソース要素を規定する。時間−周波数リソースは通常、ブロックにおいて（「リソースブロック」と呼ばれる）割り当てられ、各ブロックは、１２の連続したサブキャリア及び１スロットのシンボルのリソース要素から成る。
【００２７】
無線フレームは、基地局５と移動通信デバイス３との間で制御信号及びデータ信号を搬送する。基地局５は、現在の送信要件、デバイス能力、システム条件及び他の静的又は動的パラメータに応じて、移動通信デバイス３にリソースブロックを動的に割り当てる。割り当てられたリソースの送信電力は、基地局５によって個々に制御され得る。当業者であれば理解するように、基地局５の近くに位置する移動通信デバイス３は、遠距離に位置する移動通信デバイス３より低い送信電力を用いてサービングされ得る。それゆえ、基地局５に極めて近接している移動通信デバイス３のためのリソースは、セル７、９の境界付近に位置する移動通信デバイス３のためのリソースブロックより相対的に低い電力レベルにおいて送信され得る。
【００２８】
サブフレームのうちの幾つかは、いわゆるオールモストブランクサブフレーム（すなわちＡＢＳ）に指定され、そのサブフレームは、実質的に０の電力（ゼロ電力ＡＢＳ）、又は低減された電力（非ゼロ電力ＡＢＳ）のいずれかにおいて送信されるリソース要素から成る。
【００２９】
図１に示されるシステムでは、セル間干渉が回避又は低減されるように、基地局５は、その送信スケジューリング及びその送信電力を協調する。基地局５は、ＡＢＳパターン及びＡＢＳ送信電力に関する情報を交換する。また、基地局５は、その送信電力を更に調整するために、現在の（非ゼロ）ＡＢＳ送信電力がセル間干渉を引き起こす時点を互いに通知する。
【００３０】
図１に示されるシステムでは、移動通信デバイス３は、例えばより上位の層のシグナリングを介して、ＡＢＳパターンも通知される。一連の送信されたサブフレーム内のＡＢＳサブフレームのシーケンスは、基地局によって準静的に構成され得、この構成はＡＢＳパターンと呼ばれる。ＡＢＳパターンは、ＲＲＣ層シグナリングのような、より上位の層のシグナリングを用いて移動通信デバイス３に送信され得る。
【００３１】
Ｒｅｌ−１０では、移動通信デバイス３は、実際にはＡＢＳパターンを知らず、「ｃｓｉ−ＭｅａｓＳｕｂ−ｆｒａｍｅＳｅｔ１−ｒ１０」及び「ｃｓｉ−ＭｅａｓＳｕｂ−ｆｒａｍｅＳｅｔ２−ｒ１０」としてシグナリングされる、２つの測定サブセットのみを知っている。しかしながら、ＡＢＳのための低減電力オフセットが移動通信デバイス３にシグナリングされるとき、移動通信デバイス３は、それらの低減電力オフセットを正しいＣＳＩ測定サブフレームセットに適用する必要がある。
【００３２】
しかしながら、ＡＢＳパターンは準静的に構成され得、構成されたサブフレームサブセットのうちの１つをＡＢＳサブフレームに割り当てることができ、他のサブセットを非ＡＢＳサブフレームに割り当てることができる。ＡＢＳパターンが変化する場合には、「ｃｓｉ−ＭｅａｓＳｕｂ−ｆｒａｍｅＳｅｔ」を再構成するために、ＲＲＣ再構成メッセージが移動通信デバイス３に送信される。
【００３３】
少なくともＣＲＳに基づく送信の場合に、正しいオフセットを適用するために、移動通信デバイス３は完全なＡＢＳパターンを知る必要があるので、以下の代替形態が与えられる。
１）静的構成：例えば、「ｃｓｉ−ＭｅａｓＳｕｂ−ｆｒａｍｅＳｅｔ１−ｒ１０」がＡＢＳ用であり、「ｃｓｉ−ＭｅａｓＳｕｂ−ｆｒａｍｅＳｅｔ２−ｒ１０」が非ＡＢＳ用である。ネットワークは「ｃｓｉ−ＭｅａｓＳｕｂ−ｆｒａｍｅＳｅｔ−ｒ１１」のうちの少なくとも１つをＡＢＳパターンと同一視しなければならない（例えば、「ｃｓｉ−ＭｅａｓＳｕｂ−ｆｒａｍｅＳｅｔ１−ｒ１１＝ＡＢＳパターン」）。
２）移動通信デバイス３へのＡＢＳパターンの準静的シグナリング（例えば、ＲＲＣシグナリング）。
【００３４】
移動通信デバイス３に対するＡＢＳパターンが構成されると、移動通信デバイス３は、ＡＢＳサブフレームを含む、サブフレーム上で信号測定を実行することができる。また、移動通信デバイス３は、信号測定の結果に基づいて、ＣＱＩ報告も送信する。
【００３５】
干渉とは別に、数多くの他の条件が基地局５と移動通信デバイス３との間の送信に影響を及ぼす。それゆえ、移動通信デバイス３は、感知された信号品質について、基地局５に定期的なフィードバックを与えるように構成される。そのフィードバックは、所与の移動通信デバイス３が基地局５と通信するようにスケジューリングされない期間中に実行される信号測定に基づく。測定結果に基づいて、移動通信デバイス３は、報告を生成し、その報告を基地局５に送る。このフィードバック機構は、チャネル品質指示（ＣＱＩ）と呼ばれ、リソース割当て、スケジューリング及び送信電力を含む、基地局５の動作を微調整するために利用される。
【００３６】
さらに、基地局５は、そのスケジューリングされた送信と協調して、マクロ基地局５−１が相対的にサイレントな短い期間を利用するようにし、その期間中に、ピコ基地局５−２、５−３がピコセル９の境界付近に位置する移動通信デバイス３をスケジューリングすることができる。これらの相対的にサイレントな期間は、いわゆるオールモストブランクサブフレームの形をとることができ、そのサブフレームは低減された電力において送信されるリソース要素から成る。それゆえ、マクロ基地局５−１がオールモストブランクサブフレームを送信する間に、ピコ基地局５−２から受信するようにスケジューリングされる場合には、移動通信デバイス３−６は、マクロセル７からのセル間干渉を受けないことになる。オールモストブランクサブフレームの更なる詳細については、図２を参照しながら後に説明する。
【００３７】
図２は、一連のサブフレーム１１、１２等における１つのサブフレームの通常のリソースグリッドを、１１において包括的に示しており、リソース要素は、物理ダウンリンク共有チャネル（ＰＤＳＣＨ）シグナリングのために用いられるリソース要素１５と、共通（セル固有）参照シグナリング（ＣＲＳ）のために用いられるリソース要素１６とを含む。リソースのうちの幾つかが、制御シグナリングのような他の目的のために割り当てられていることは、当業者であれば理解され、簡潔にするためにここではそれを省略する。各行はサブキャリア周波数を表しており、各列はシンボルを表し、所与のリソースグリッドのサブキャリア周波数にわたる１組のリソース要素から成る。
【００３８】
図２においてわかるように、図示される例では、ＣＲＳが、４つの異なるサブキャリア周波数（行）及び４つの異なるシンボル番号（列）を用いて、リソースグリッドにわたって概ね均等に分散された、８つのリソース１６において通信される。それゆえ、幾つかのシンボル、例えば、シンボルＳＡはＰＤＳＣＨリソース１５のみから成り、一方、シンボルＳＢのような他のシンボルは、ＰＤＳＣＨリソース１５及びＣＲＳリソース１６から成る。
【００３９】
ＣＲＳシンボル１６は、Ｒ０によって表される所定のリソース要素当たり参照信号エネルギ（ＲＳ  ＥＰＲＥ）において送信される。ＰＤＳＣＨリソース１５は、ＰＤＳＣＨ  ＥＰＲＥ値において送信され、その値は基地局５によって構成され、ＲＳ  ＥＰＲＥとは異なる場合がある。この構成によれば、かつシンボルがＰＤＳＣＨリソース１５のみから成るか、又はＰＤＳＣＨリソース１５及びＣＲＳリソース１６の両方から成るかに応じて、シンボル当たりの全エネルギレベルが変えられ得る。３ＧＰＰ  ＴＲ  ３６．２１３  ｖ１０．４．０のセクション５．２において記述されるように、移動通信デバイス３には、それぞれの基地局５からシンボル依存電力比ρＡ及びρＢを受信することによって、セル固有のＲＳ  ＥＰＲＥとＰＤＳＣＨ  ＥＰＲＥとの間の関係が通知される。具体的には、シンボル依存電力比ρＡ及びρＢは、より上位の層でシグナリングされる移動通信デバイス固有パラメータＰＡ及びセル固有パラメータＰＢ（それぞれＰ＿Ａ及びＰ＿Ｂとも呼ばれる）から導き出される。
【００４０】
したがって、移動通信デバイス３が種々のシンボルＳＡ、ＳＢにわたってチャネル品質測定を実行するとき、それらの移動通信デバイスはそれぞれのシンボル依存電力比ρＡ及びρＢも考慮に入れて、適切なＣＱＩを基地局５に与えることができる。
【００４１】
また、図２は、ＡＢＳの通常のリソースグリッドも、１２において包括的に示しており、ＣＲＳリソース１６がＲ０で送信され、一方、ＰＤＳＣＨリソース１７が低減されたＥＰＲＥで送信される。上記のように、ＡＢＳ１２を用いて、セル間干渉を低減又は回避することができる。
【００４２】
ＡＢＳ１２は、ＰＤＳＣＨリソース要素１７のみを用いるシンボルＳＡ、並びにＰＤＳＣＨリソース要素１７及びＣＲＳリソース要素１６の両方を用いるシンボルＳＢのような、一連のシンボル列から成る。ＣＲＳリソース要素１６は、上記のサブフレーム１１の場合と同じＲＳ  ＥＰＲＥレベルで送信されるが、低減ＥＰＲＥ  ＰＤＳＣＨリソース１７は、上記のサブフレーム１１のＰＤＳＣＨリソース要素１５よりも著しく低いエネルギレベルを有する。
【００４３】
上記のように、データ等のために用いられる送信電力は、非ＡＢＳサブフレーム１１の場合、ＡＢＳサブフレーム１２の場合と同じではない。しかしながら、ＡＢＳサブフレーム１２において低減された送信電力が適用されるとき、ＣＲＳリソース要素１６は、ＡＢＳサブフレーム１２及び非ＡＢＳサブフレーム１１のいずれにおいても依然として同じ電力において送信される。それゆえ、電力比ρＡ及びρＢを用いる結果として、ＡＢＳサブフレーム１２の持続時間中に実行された信号測定を誤って解釈する可能性があり、それゆえ、基地局５に対してＣＱＩを誤って報告する可能性がある。
【００４４】
それゆえ、有利には、基地局は、移動通信デバイス３によって使用され得るサブフレーム依存電力オフセットΔＡＢＳを与え、ＡＢＳサブフレーム１２が送信されるときに、それに基づいてＣＱＩを計算する。基地局５は、より上位の層のシグナリングによって、このサブフレーム依存電力オフセットΔＡＢＳを移動通信デバイス３に送信するように構成される。移動通信デバイス３は、シンボル依存電力比ρＡ及びρＢとともに、このサブフレーム依存電力オフセットΔＡＢＳを用いるように構成される。例えば、移動通信デバイス３は、基地局５によって非ＡＢＳサブフレーム１１が送信されるときに、シンボル依存電力比ρＡ及びρＢを用いることができ、基地局５によってＡＢＳサブフレーム１２が送信されるときに、サブフレーム依存電力オフセットΔＡＢＳを用いることができる。これにより、有益には、移動通信デバイス３は、サブフレームのタイプとは無関係に、信号測定を正しく解釈し、基地局５に正確なＣＱＩ報告を提供できるようになる。
【００４５】
これは、後方互換性を維持できるようにするので、特に有利である。具体的には、それは、更なる値を追加することによって、又は現在規定されている値を変更することによって、ρＡ及びρＢを計算するために用いられる、このパラメータ範囲を拡張するのを不要にし、結果として、標準規格の異なるリリースに従って動作する移動通信デバイスがρＡ及びρＢの値を誤って解釈する可能性がないようにする。
【００４６】
当業者が理解するように、参照信号送信電力及び関連付けられる電力比ρＡ及びρＢに関連する更なる詳細は、関連する標準規格（例えば、３ＧＰＰリリース８／９／１０）において見いだされ得、そこでは、ダウンリンク参照信号送信電力が、より上位の層、例えば、無線リソース制御（ＲＲＣ）シグナリングによって与えられるパラメータ「ｒｅｆｅｒｅｎｃｅＳｉｇｎａｌＰｏｗｅｒ」によって与えられることを規定している。それは、所与の移動通信デバイス３のためのＰＤＳＣＨ電力がサブフレーム１１内のダウンリンクＣＲＳ１６に関連することも更に規定している。
【００４７】
参照信号を含まないシンボルの比、ＰＤＳＣＨ  ＥＰＲＥ対セル固有ＲＳ  ＥＰＲＥは、移動通信デバイス３の固有のパラメータρＡによって表される。ρＡは、｛−６、−４．７７、−３、−１．７７、０、１、２、３ｄＢ｝の値を取り得る、より上位の層においてシグナリングされるパラメータＰＡと、パラメータ「ｒｅｆｅｒｅｎｃｅＳｉｇｎａｌＰｏｗｅｒ」とから導き出される。後方互換性を確保するために、これらのパラメータは固定されたままにする必要がある。
【００４８】
参照信号を含むシンボルの比、ＰＤＳＣＨ  ＥＰＲＥ対セル固有ＲＳ  ＥＰＲＥは、移動通信デバイス３の固有のパラメータρＢによって表される。ρＢは、ρＡと、より上位の層からシグナリングされるセル固有パラメータＰＢとから導き出される。
【００４９】
ρＡとρＢとの間の関係の概要が表１に示される。
【００５０】
【表１】
2015510282.tif 000003
【００５１】
さらに、サービングセルにおいてＣＳＩ−ＲＳが構成される場合には、ＵＥは、ダウンリンクＣＳＩ−ＲＳ  ＥＰＲＥがダウンリンクシステム帯域幅にわたって一定であり、かつ全サブフレームにわたって一定であると仮定すべきである。ＰＣは、ＵＥがＣＳＩフィードバックを導き出すときの、ＰＤＳＣＨ  ＥＰＲＥ対ＣＳＩ−ＲＳ  ＥＰＲＥの仮定された比を表すパラメータであり、１ｄＢステップサイズで［−８，１５］ｄＢの範囲内の値をとる。それゆえ、ＣＱＩ推定のために、５ｍｓ〜８０ｍｓごとに送信され得る、ＣＳＩ−ＲＳが構成される場合、ＡＢＳサブフレームのために、更なる１組のダウンリンク送信電力比、ＰＤＳＣＨ  ＥＰＲＥ対ＣＳＩ−ＲＳ  ＥＰＲＥも必要とされることになる。
【００５２】
後方互換性を維持するために、移動通信デバイス３に１組のＰＡ及びＰＣ（Ｒｅｌ−１０と同じ）のみがシグナリングされる。しかしながら、ＰＡ又はＰＣに対するＡＢＳサブフレーム１２用の電力低減ΔＡＢＳは、より上位の層のシグナリングによって、移動通信デバイス３に別に送信されることになる。
−更なる３ｄＢオフセットを持つ４アンテナポートを用いる送信ダイバーシティの場合を除く、ＣＲＳに基づく送信方式の場合のＰＤＳＣＨの実際の送信電力：
ρＡは、δｐｏｗｅｒ−ｏｆｆｓｅｔ＋ΔＡＢＳ＋ＰＡ［ｄＢ］に等しい。
−更なる３ｄＢオフセットを持つ４アンテナポートを用いる送信ダイバーシティの場合を除く、ＣＲＳに基づくフィードバックの仮定されるＰＤＳＣＨ電力：
ρＡ＝ＰＡ＋ΔＡＢＳ＋Δｏｆｆｓｅｔ［ｄＢ］
−ＣＳＩ−ＲＳに基づくフィードバックの仮定されるＰＤＳＣＨ電力：
ＰＣ＋ΔＡＢＳ［ｄＢ］
ただし、ΔＡＢＳは非ＡＢＳサブフレーム１１の場合に０ｄＢであり、ＡＢＳサブフレーム１２の場合に、より上位の層によって与えられる。ΔＡＢＳもＵＥ固有とすることができる。
【００５３】
この場合、ΔＡＢＳは、Ｒｅｌ−１１の場合にオプションの情報要素として、３ＧＰＰ  ＴＳ３６．３３１において規定される、「ＰＤＳＣＨ−ＣｏｎｆｉｇＣｏｍｍｏｎ」又は「ＰＤＳＣＨ−ＣｏｎｆｉｇＤｅｄｉｃａｔｅｄ」のいずれかに追加され得、１ｄＢステップサイズで［−１６，０］ｄＢの範囲内の値をとることができる。
【００５４】
基地局間フィードバック
セル間干渉の問題を軽減するために、マクロ基地局５−１は、ピコ基地局５−２、５−３からのフィードバックも利用する。具体的には、ピコ基地局５−２、５−３は、干渉過負荷指示メッセージを送信することによって、マクロ基地局５−１に干渉状況を示すことができる。
【００５５】
図１に示されるシステムでは、基地局５は、送信される一連のサブフレーム内のサブフレームの順序のような、ＡＢＳサブフレームと、ＡＢＳサブフレーム１２を送信するために用いられる送信電力とに関する情報を交換する。また、基地局５は、その送信電力を更に調整するために、現在の（非ゼロ）ＡＢＳ送信電力がセル間干渉を引き起こす時点を互いに通知する。これは、以下に要約されることになる、３ＧＰＰ  ＴＳ３６．４２３のセクション８．３．１において記述される、負荷指示手順を用いることによって達成される。
【００５６】
ＴＳ３６．４２３標準規格は、ｅＮＢ（すなわち、基地局５）が、周波数内隣接セルを制御するｅＮＢ（すなわち、基地局５−１）に負荷情報メッセージを送信することによって、その手順を開始することを記述している。
【００５７】
負荷情報メッセージにおいて、ＵＬ干渉過負荷指示情報要素（ＩＥ）が受信された場合には、その情報要素は、ＰＲＢ当たりの、全てのリソースブロックにおいて、示されたセルが受けた干渉レベルを示す。受信側ｅＮＢは、そのスケジューリングポリシーを設定するときにそのような情報を考慮に入れることができ、同じＩＥの更新を搬送する新たな負荷情報メッセージを受信するまで、受信されたＵＬ干渉過負荷指示ＩＥ値を有効であると見なすべきである。
【００５８】
負荷情報メッセージにおいて、ＵＬ高干渉指示ＩＥが受信された場合には、そのＩＥは、送信側ｅＮＢから見たときに、ＰＲＢ当たりの、高い干渉感度の発生を示す。受信側ｅＮＢは、該当するＰＲＢに対して、そのセル内でセルエッジＵＥをスケジューリングするのを回避しようと試みるべきである。負荷情報メッセージ内のＵＬ高干渉情報ＩＥグループ内で受信されたターゲットセルＩＤ  ＩＥは、対応するＵＬ高干渉指示が対象としているセル７を示す。受信側ｅＮＢは、更新を搬送する新たな負荷情報メッセージを受信するまで、ＵＬ高干渉情報ＩＥグループの値を有効であると見なすべきである。
【００５９】
負荷情報メッセージにおいて、相対狭帯域Ｔｘ電力（ＲＮＴＰ）ＩＥが受信された場合には、そのＩＥは、ＰＲＢあたり、ダウンリンク送信電力がＲＮＴＰしきい値ＩＥによって示される値より低いか否かを示す。受信側ｅＮＢは、そのスケジューリングポリシーを設定するときにそのような情報を考慮に入れることができ、更新を搬送する新たな負荷情報メッセージを受信するまで、受信された相対狭帯域Ｔｘ電力（ＲＮＴＰ）ＩＥ値を有効であると見なすべきである。
【００６０】
負荷情報メッセージにＡＢＳ情報ＩＥが含まれる場合には、ＡＢＳパターン情報ＩＥは、干渉協調のために送信側ｅＮＢによってオールモストブランクサブフレームとして指定されたサブフレームを示す。受信側ｅＮＢは、ＵＥをスケジューリングするときに、そのような情報を考慮に入れることができる。
【００６１】
受信側ｅＮＢは、ＵＥに対する特定の測定値を構成するために、負荷情報メッセージにおいて受信された測定サブセットＩＥを用いることができる。
【００６２】
受信側ｅＮＢは、受信された情報を、直ちに適用可能と見なすべきである。受信側ｅＮＢは、更新を搬送する新たな負荷情報メッセージを受信するまで、ＡＢＳ情報ＩＥの値を有効であると見なすべきである。
【００６３】
ＡＢＳパターン情報ＩＥにおいて示されるＡＢＳがＭＢＳＦＮサブフレームと同時に生じる場合には、受信側ｅＮＢは、そのサブフレームが送信側ｅＮＢによってオールモストブランクサブフレームとして指定されたと考えるべきである。
【００６４】
負荷情報メッセージに呼出し指示ＩＥが含まれる場合には、そのＩＥは、送信側ｅＮＢが受信側ｅＮＢに返送してもらいたい情報のタイプを示す。受信側ｅＮＢはそのような要求を考慮に入れることができる。
【００６５】
呼出し指示ＩＥが「ＡＢＳ情報」に設定される場合には、そのＩＥは、送信側ｅＮＢが、受信側ｅＮＢに、負荷指示手順を開始してもらいたいことを示しており、負荷情報メッセージは、関連するセル内の非ゼロＡＢＳパターンを示すＡＢＳ情報ＩＥを含む。
【００６６】
上記の標準規格は、ＡＢＳサブフレームがデータチャネルスケジューリングを一切含まないときに、ダウンリンク及びアップリンクの両方における時間領域及び周波数領域セル間干渉制御（ＩＣＩＣ）の共存に適用可能である。しかしながら、本発明者らは、標準規格の次回のリリース（すなわち、Ｒｅｌ−１１）において非ゼロ電力ＡＢＳが導入され、非ゼロ電力ＡＢＳサブフレームにおいて（ｅ−）ＰＤＣＣＨチャネル、ＰＤＳＣＨチャネル及びＰＵＳＣＨチャネルをスケジューリングできる場合でも、現在の手順が不十分であることを理解している。ＡＢＳサブフレーム中にこれらのチャネルをスケジューリングすることは、ピコセル９の境界付近に位置する移動通信デバイス３が望ましくないセル間干渉を受けることを意味する。
【００６７】
この問題を軽減するには、周波数内隣接セル間で負荷及び干渉協調情報を転送するために、ｅＮＢによって隣接するｅＮＢに送信される負荷指示手順を拡張すべきである。周波数内隣接セル間で干渉協調情報を転送するために、ｅＮＢは、負荷情報において１組の以下のＩＥを送信する。受信側ｅＮＢは、受信された情報を直ちに適用可能と見なすべきである。
【００６８】
相対狭帯域Ｔｘ電力（ＲＮＴＰ）情報要素
このＩＥは、セル内のＰＲＢ当たりのＤＬ電力制限に関する指示、及び干渉認識スケジューリングのために隣接ｅＮＢによって必要とされる他の情報を与える。
【００６９】
報告される相対狭帯域ＴＸ電力指示ＲＮＴＰ（ｎＰＲＢ）の決定は以下のように定義される。
【数１】
2015510282.tif 000004
ただし、ＥＡ（ｎＰＲＢ）は、考えられる将来の時間間隔におけるアンテナポートｐ上でのこの物理リソースブロックにＲＳを含まないＯＦＤＭシンボル内のＵＥ固有ＰＤＳＣＨ  ＲＥの最大対象ＥＰＲＥであり、ｎＰＲＢは物理リソースブロック番号、ｎＰＲＢ＝０，．．．，ＮＲＢＤＬ−１であり、ＲＮＴＰｔｈｒｅｓｈｏｌｄは以下の値のうちの１つをとる。
【数２】
2015510282.tif 000005
【００７０】
リリース１１において、ＥＡ（ｎＰＲＢ）は、考えられる将来の時間間隔におけるアンテナポートｐ上でのこの物理リソースブロックにＲＳを含まないＯＦＤＭシンボル内の、ＵＥ固有ＰＤＳＣＨ／（ｅ−ＰＤＣＣＨ）ＲＥの最大対象ＥＰＲＥであるべきである。ＡＢＳにおいて、非ゼロ送信電力がサポートされる場合には、ＲＮＴＰｔｈｒｅｓｈｏｌｄは非ゼロ電力ＡＢＳサブフレーム及び非ＡＢＳサブフレームの場合に異なることができ、ＡＢＳサブフレーム及び非ＡＢＳサブフレームに対して異なるＲＮＴＰｔｈｒｅｓｈｏｌｄ設定を適用することができる。現在のＲｅｌ−１０仕様では、Ｘ２メッセージ伝送が適用可能であるサブフレームを示す情報要素フィールドが存在しないので、受信側ｅＮＢは、Ｘ２メッセージ伝送がＡＢＳサブフレームを対象とするか、又は非ＡＢＳサブフレームを対象とするかを知らない。
【００７１】
別の例は、Ｒｅｌ−１１  ＡＢＳサブフレーム（すなわち、非ゼロ電力ＡＢＳサブフレーム）内にｅ−ＰＤＣＣＨが存在するとき、マクロセルの対応するリソース（ＰＲＢ）が、ＰＤＳＣＨに対して規定された同じ低減された送信電力を順守しないことである。ｅ−ＰＤＣＣＨのための電力は、最大ｅＮＢ出力電力に基づいて独立して設定され、ＡＢＳサブフレーム上の低減された電力を順守しない場合がある。それゆえ、ＡＢＳサブフレームにおいてどのＰＲＢが低減された電力を順守していないかを示すために、周波数領域ＩＣＩＣに関する別のＲＮＴＰシグナリングが必要とされる。非ゼロ送信電力ＡＢＳサブフレーム及び非ＡＢＳサブフレームにおいて、それぞれ、ピコセルがこれらのＰＲＢにおいてセルエッジユーザをスケジューリングするのを回避できるように、ｅ−ＰＤＣＣＨ用の周波数領域ＩＣＩＣが、ピコセルにシグナリングされる必要がある。
【００７２】
本発明は、セル内のＰＲＢ当たりのＤＬ電力制限に関して示すために、更なる１組のＲＮＴＰ  ＩＥを提供する。また、本発明は、干渉認識スケジューリング用の隣接ｅＮＢによって必要とされる以下の情報も与える。
【００７３】
ＤＬ過負荷指示（ＤＬ  ＯＩ）
Ｒｅｌ−１１において非ゼロ送信電力ＡＢＳを導入した後に、マクロｅＮＢのカバレッジエリア内に位置したピコｅＮＢにキャンプオンされたピコＵＥは、ピコｅＮＢの場所及びピコＵＥのトラフィック分布に応じて、全く異なる干渉レベルを受ける場合がある。
【００７４】
ピコｅＮＢにおいて、カバレッジを維持し、かつ受ける干渉レベルを軽減するために、マクロｅＮＢは、非ゼロ電力ＡＢＳサブフレーム内の異なるＰＲＢにおいて異なる電力レベルを送信することができる。しかしながら、マクロｅＮＢは、ピコセルにキャップオンされたＵＥのトラフィック分布を知らないので、ピコＵＥに対して高い干渉を引き起こさない、ＡＢＳサブフレーム内の最適な送信電力設定を知らない。マクロｅＮＢのカバレッジエリア内に複数のピコセルが存在する場合、マクロｅＮＢが或る特定のＰＲＢ上の電力を最適なレベルまで低減することができるように、ピコｅＮＢがマクロｅＮＢに干渉レベルを示すことが有用になる。それゆえ、本発明者らは、ピコｅＮＢに対して、ＡＢＳサブフレーム（すなわち、非ゼロ電力ＡＢＳサブフレーム）内のＰＲＢで高干渉指示を示すことを提案する。ピコｅＮＢは、既存のＲＳＲＰ／ＲＳＲＱ測定、経路損失推定及びＵＥからのＣＱＩ報告に基づいて各ＰＲＢ上の干渉レベルを算出することができる。
【００７５】
マクロｅＮＢは、そのカバレッジエリア内の全てのピコｅＮＢの総合的な統計データ（例えば、ＡＢＳ内のＤＬ  ＯＩから計算される）に基づいて、ＡＢＳサブフレーム内の或る特定のＰＲＢ上のその送信電力を（段階的に）低減することによって、ＤＬ  ＯＬメッセージ伝送に応答することができる。これは、図６に図示される、自己組織化ネットワーク（ＳＯＮ）使用事例である。
【００７６】
本発明は、セル情報ＩＥに対してオプションのＤＬ過負荷指示ＩＥを与える。このＩＥは、セル間干渉によって影響を及ぼされるＰＲＢの範囲を示すことによって、ＰＲＢごとに、干渉過負荷に関する報告を与える。このＩＥは、高い干渉、中程度の干渉、低い干渉のような、遭遇したセル間干渉の強度も示す。
【００７７】
アップリンクにおいて、Ｒｅｌ−１０では、マクロセル７の全てのユーザを非ＡＢＳサブフレームにおいてスケジューリングすることができるが、ＡＢＳサブフレームでは、マクロセル７のユーザをスケジューリングすることができない。非ゼロ電力ＡＢＳがその標準規格の次回のリリース（すなわち、Ｒｅｌ−１１）においてサポートされる場合、マクロセル７の中央付近の移動通信デバイス３は、マクロセル７のシステムスループットを改善するために、ＡＢＳサブフレームにおいてスケジューリングされる場合がある。しかしながら、これらの移動通信デバイス３がピコセル９のセルエッジに近い場合があるということが起こり得る。いずれにしても、ピコ基地局５−２、５−３において、ＡＢＳサブフレーム及び非ＡＢＳサブフレームにおいて遭遇するＵＬ干渉レベルは異なることになる。
【００７８】
マクロ基地局５−１は、ピコ基地局５−２又は５−３にＵＰ  ＨＩＩを送信して（逆の場合も同じ）、ＵＥをＡＢＳサブフレームにおいてスケジューリングするという意向を通知し、それにより、ピコ基地局５−２、５−３は、マクロ基地局５−１によって示されたＡＢＳサブフレーム内の或る特定のＰＲＢ上でセルエッジ移動通信デバイス３をスケジューリングするのを回避することができる。
【００７９】
非ＡＢＳサブフレームでは、マクロｅＮＢは、周波数領域ＩＣＩＣ制限を順守せず、全てのＰＲＢにわたって全てのユーザをスケジューリングする場合があるか、又は更に高い割合のＰＲＢリソースを利用する異なるＨＩＩパターンを順守する場合がある。
【００８０】
それゆえ、周波数領域ＩＣＩＣ用の以下のアップリンクＸ２メッセージ伝送は変更される。
【００８１】
ＵＬ高干渉指示（ＨＩＩ）
このＩＥは、ＰＲＢごとに、干渉感度に関する２レベル報告を与える。このＩＥにおいて、ビットマップ内の位置がＰＲＢを表し、値「１」は「高干渉感度」を示し、値「０」は「低干渉感度」を示す。
【００８２】
ＵＬ干渉過負荷指示（ＯＩ）
このＩＥは、ＰＲＢごとに、干渉過負荷に関する報告を与え、その報告において、ｅＮＢは各ＰＲＢ内の平均ＵＬ干渉の測定値を示す。また、ＵＬ  ＯＩは、低減電力ＡＢＳサブフレームにおいて適用され得、それゆえ、もし基地局５がＡＢＳサブフレームにおいて高い干渉に遭遇する場合には、その基地局はＵＬ  ＯＩを送信して、干渉している隣接する基地局５に高い干渉を示す。
【００８３】
ピコｅＮＢにおいて、ＡＢＳサブフレーム及び非ＡＢＳサブフレームにおいて遭遇したＵＬ干渉レベルはＰＲＢにわたって異なる場合があるので、Ｒｅｌ−１１において、以下の１組のＵＬ  ＨＩＩ  ＩＥ及びＵＬ  ＯＩ  ＩＥが必要とされる。
−１つの負荷指示手順における周波数領域ＩＣＩＣメッセージ伝送用のセル情報ＩＥにおいて非ゼロ電力ＡＢＳサブフレームに関連する更なる１組のＵＬ  ＨＩＩ  ＩＥ。
−１つの負荷指示手順における周波数領域ＩＣＩＣメッセージ伝送用のセル情報ＩＥにおいて非ゼロ電力ＡＢＳサブフレームに関連する更なる１組のＵＬ  ＯＩ  ＩＥ。
【００８４】
要するに、ＡＢＳにおいて非ゼロ送信電力をサポートするために、Ｘ２負荷指示メッセージを拡張する必要がある。
（１）セル情報ＩＥが適用可能である対応するサブフレームを示すために、「ＡＢＳ」、「非ＡＢＳ」の値をとるオプションの列挙情報要素フィールドを追加する。存在しない場合には、周波数領域ＩＣＩＣ用の負荷情報内のセル情報ＩＥは、ＡＢＳ及び非ＡＢＳの両方のサブフレームに適用可能である。これは、Ｒｅｌ−１０  ＵＥに対する後方互換性が維持されるようにする。
（２）ＡＢＳサブフレーム及び非ＡＢＳサブフレーム用のセル情報ＩＥを同時に更新できるようにするために、ＡＢＳサブフレーム用の１つの負荷指示手順においてオプションで更なる１組のセル情報ＩＥを追加する。非ＡＢＳサブフレーム用の既存のセル情報ＩＥは再利用され得る。
【００８５】
基地局
図３は、図１に示される基地局５の主要構成要素を示すブロック図である。明確にするために、基地局はマクロ基地局５−１を参照しながら説明されるが、各ピコ基地局５−２、５−３も同様に構成できることは理解されよう。マクロ基地局５−１は、少なくとも１つのアンテナ３３を介して、移動通信デバイス３との間で信号を送受信するように動作可能であるトランシーバ回路３１を備える、Ｅ−ＵＴＲＡＮマルチキャリア対応基地局から成る。また、基地局５−１は、ネットワークインターフェース３５を介してコアネットワークとの間で信号を送受信するように動作可能であり、基地局（又はいわゆる、「Ｘ２」）インターフェース３６を介して付近の他の基地局との間で信号を送受信するようにも動作可能である。トランシーバ回路３１の動作は、メモリ３９に記憶されるソフトウェアに従ってコントローラ３７によって制御される。
【００８６】
ソフトウェアは、数ある中でも、オペレーティングシステム４１、通信制御モジュール４２、干渉検出モジュール４３、電力制御モジュール４５、サブフレームパターンモジュール４７及びリソーススケジューリングモジュール４９を含む。
【００８７】
通信制御モジュール４２は、セル７内の移動通信デバイス３との通信、及びネットワークインターフェース３５を介してのコアネットワーク及び他の基地局との通信を制御するように動作可能である。干渉検出モジュール４３は、隣接する基地局５によって引き起こされる（又は隣接する基地局５に対して引き起こされる）セル間干渉を検出するように動作可能である。電力制御モジュール４５は、送信されるシンボルＳＡ、ＳＢ及びリソース１５、１６、１７の送信電力を制御するように動作可能である。サブフレームパターンモジュール４７は、送信される一連のサブフレーム内のサブフレーム１１及びＡＢＳサブフレーム１２のパターンを管理する。リソーススケジューリングモジュール４９は、この基地局５−１によってサービングされる移動通信デバイス３への送信をスケジューリングする責任を負う。
【００８８】
上記の説明では、理解しやすくするために、基地局５−１は、幾つかの別個のモジュールを有するものとして説明される。これらのモジュールは、或る特定の応用形態の場合、例えば、本発明を実施するために既存のシステムが変更された場合には、このようにして設けられてもよいが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。
【００８９】
移動通信デバイス
図４は、図１に示される移動通信デバイス３の主要構成要素を示すブロック図である。各移動通信デバイス３は、少なくとも１つのアンテナ５３を介して、基地局５との間で信号を送受信するように動作可能であるトランシーバ機回路５１を備える。トランシーバ回路５１の動作は、メモリ５７内に記憶されたソフトウェアに従ってコントローラ５５によって制御される。
【００９０】
ソフトウェアは、数ある中でも、オペレーティングシステム６１、通信制御モジュール６３、電力比モジュール６５、信号測定モジュール６７及びチャネル品質指示モジュール６９を含む。
【００９１】
通信制御モジュール６３は、移動通信デバイス３が位置するセル７、９をサービングする基地局５との通信を管理するために動作可能である。通信制御モジュール６３は、基地局５によって決定されたスケジュールに従って、基地局５と移動通信デバイス３との間の通信を管理する。
【００９２】
電力比モジュール６５は、基地局５によって与えられる、現在のシンボル依存電力比ρＡ及びρＢと、サブフレーム依存電力オフセットΔＡＢＳとを維持するために動作可能である。
【００９３】
信号測定モジュール６７は、基地局５によって送信されたシンボルにわたって受信された送信電力の測定を実行する。信号測定モジュール６７は、これらの測定を実行するときに、電力比モジュール６５に記憶される適切な電力比を使用するように動作可能である。
【００９４】
チャネル品質指示モジュール６９は、信号測定モジュール６７によって実行された測定に従って、基地局５に送信されることになるチャネル品質指示（ＣＱＩ）報告を準備する。
【００９５】
上記の説明において、理解しやすくするために、移動通信デバイス３は幾つかの個別のモジュールを有するように説明される。これらのモジュールは、或る特定の応用形態の場合、例えば、本発明を実施するために既存のシステムが変更された場合には、このようにして設けられてもよいが、他の応用形態、例えば、最初から本発明の特徴を念頭において設計されるシステムでは、これらのモジュールはオペレーティングシステム又はコード全体の中に組み込むことができるので、これらのモジュールは別個の実体として区別可能でない場合もある。
【００９６】
チャネル品質測定
基地局５及び移動通信デバイス３の動作の新規の態様のうちの幾つかの態様の更に詳細な説明がここで与えられることになる。
【００９７】
図５は、本発明による、基地局５及び移動通信デバイス３によって実行されるステップを示すタイミング図である。
【００９８】
第１のステップｓ５１において、基地局５は移動通信デバイス３にＡＢＳパターン（利用可能な場合）を送信する。これはより上位の層のシグナリングを介して行うことができ、そのシグナリングは、基地局５と移動通信デバイス３との間の幾つかのメッセージの交換を有する場合があるが、ここでは示されない。その後、ステップｓ５２において、移動通信デバイス３は受信されたパターンを記憶する。
【００９９】
次に、ステップｓ５３において、基地局５は、移動通信デバイス３にシンボル依存電力比ρＡ及びρＢを送信する。ステップｓ５４において、移動通信デバイス３はシンボル依存電力比ρＡ及びρＢを記憶する。好ましくは、ステップｓ５３及びｓ５４は、後方互換性が確保されるように実行される。
【０１００】
次に、ステップｓ５５において、基地局５は、移動通信デバイス３にサブフレーム依存電力オフセットΔＡＢＳを送信する。サブフレーム依存電力オフセットΔＡＢＳの受信後に、ステップｓ５６において、移動通信デバイス３はそれを記憶する。
【０１０１】
シンボル依存電力比ρＡ及びρＢと、サブフレーム依存電オフセットΔＡＢＳとの両方（そして、オプションのＡＢＳパターン）を移動通信デバイス３に送信した後に、ステップｓ５７において、基地局５は、基地局５にＣＱＩを報告するために移動通信デバイス３が信号品質測定を実行することができる無線フレームを送信する。信号品質測定を実行するために、ステップｓ５８において、移動通信デバイス３は、基地局５によって送信された無線フレーム内のサブフレームを検出する。
【０１０２】
次に、ステップｓ５９において、移動通信デバイス３は、検出されたサブフレームにわたって測定された信号に相応しいチャネル品質指示を導き出す。このステップは、ステップｓ５８において、通常の、すなわち、非ＡＢＳサブフレーム１１が検出されたか、又はＡＢＳサブフレーム１２が検出されたかによって決まる。非ＡＢＳサブフレーム１１が検出された場合、信号品質測定はシンボル依存電力比ρＡ及びρＢを使用する（ここではステップＳ６０ａとして示される）。ステップｓ５８においてＡＢＳサブフレーム１２が検出された場合、信号品質測定はシンボル依存電力比ρＡ及びρＢと、更にサブフレーム依存電力オフセットΔＡＢＳとを使用する（ここではステップｓ６０ｂとして示される）。
【０１０３】
サブフレームのタイプに対するＣＱＩが導き出された後に、ステップｓ６１において、移動通信デバイス３は基地局５にＣＱＩを報告する。
【０１０４】
ステップｓ５１及びｓ５２は、ＡＢＳパターンに変更があるたびに繰り返される。同様に、ステップｓ５３及びｓ５４は、移動通信デバイス３において、シンボル依存電力比ρＡ及びρＢの具体的な値が変化するときに繰り返される。ステップｓ５５及びｓ５６は、サブフレーム依存電力オフセットΔＡＢＳが変化するたびに繰り返される。
【０１０５】
信号品質測定（すなわち、ステップｓ５８〜ｓ６１）は、所定の時点において移動通信デバイス３によって実行され得、その時点は、定期的とすることができるか、又は所与の移動通信デバイス３をサービングする基地局５の要求に従うこともできる。
【０１０６】
利点
上記の実施形態は、以下のことを含む、幾つかの利点を提供する。
【０１０７】
移動通信デバイス３に新たなサブフレーム依存電力オフセットΔＡＢＳをシグナリングすることによって、その標準規格の早期のリリースに従って動作している移動通信デバイス３に対する互換性を維持しながら、ＰＡ及びＰＣの範囲を正しく解釈できるようになる。
【０１０８】
サブフレーム依存電力オフセットΔＡＢＳによって、その標準規格の異なるリリースに従って動作している移動通信デバイスが、ＡＢＳサブフレームのためのＣＱＩを正しく報告できるようになる。同時に、本発明は、Ｒｅｌ−１１に従って動作している移動通信デバイスのためのＰＤＳＣＨ−ＣｏｎｆｉｇＣｏｍｍｏｎを介してＡＢＳサブフレームのためのセル固有オフセットを与える。
【０１０９】
変更形態及び代替形態
上記で詳細な実施形態を説明した。当業者であれば理解するように、上記の実施形態に対し、これらの実施形態において具現化される本発明から依然として利益を受けながら、複数の変更及び代替を行うことができる。例示にすぎないが、ここで、これらの代替及び変更の幾つかが説明される。
【０１１０】
Ｒｅｌ−１０において、ＰＡの値範囲は｛−６ｄＢ、−４．７７ｄＢ、−３ｄＢ、−１．７７ｄＢ、０ｄＢ、１ｄＢ、２ｄＢ、３ｄＢ｝に限定される。ＰＡが−６ｄＢに設定された場合、ＡＢＳサブフレームのために用いることができる、それより低いＰＡの値は存在しない。それゆえ、ＰＡ値の範囲を拡張する必要性があることを、ＲＡＮ１において論じる必要がある。
【０１１１】
ＣＲＳに基づく送信モードがサービングセルにおいて用いられる場合、３ＧＰＰ  ＴＳ３６．３３１におけるＩＥ  ＰｈｙｓｉｃａｌＣｏｎｆｉｇＤｅｄｉｃａｔｅｄ情報要素にオプションの情報要素ＩＥ  ＰＤＳＣＨ−ＣｏｎｆｉｇＤｅｄｉｃａｔｅｄ−ＡＢＳを追加する。
【数３】
2015510282.tif 000006
【０１１２】
代替的には、以下の通りである。
【数４】
2015510282.tif 000007
【０１１３】
同様に、ＣＳＩ−ＲＳがサービングセルにおいて構成される場合、ＩＥ  ＣＳＩ−ＲＳ−Ｃｏｎｆｉｇにオプションの情報要素ｐ−Ｃ−ｒ１１−ＡＢＳを追加する。
【数５】
2015510282.tif 000008
【０１１４】
本発明がＬＴＥシステムにおいて実施される例示的な実施形態では、マクロ基地局は通常、ＬＴＥ基地局によって形成されることになる。それらの基地局は、集中管理することなく自律的に動作することができ、より上位のネットワークエンティティと通信することなくそれぞれの所在を判断する。それらの基地局は互いに協働することもでき、その「Ｘ２」インターフェースを介して情報を交換し、隣接する基地局から受信された情報に基づいて判断を行うことができる。
【０１１５】
本発明の種々の態様がＬＴＥシステムによる物理層プロトコルの特定の実施態様を用いて例示されてきたが、他のシステム及び種々の下位層のプロトコルを用いることもできる。
【０１１６】
図１の移動通信システム例では、１つのピコセル９−２の地理的カバレッジがマクロセル７の地理的カバレッジの中に完全に入るのに対して、他のピコセル９−３の地理的カバレッジは、マクロセル７の地理的カバレッジと部分的に重なり合う。しかしながら、他の構成も可能である。例えば、幾つかのピコセルが完全にマクロセル７のエリア外に存在する場合があり、一方、他のピコセル９が互いに重なり合う場合がある。場合によっては、同じ基地局５が、任意の数のマクロセル７及びピコセル９と同時に動作する場合がある。更に別の例示的な実施形態では、マイクロセル７及びピコセル９は、２つの別々の通信ネットワークの一部を形成する。
【０１１７】
図５のタイミング図の説明において、ステップｓ５５はステップｓ５３の後に示される。しかしながら、代替の例示的な実施形態では、ステップｓ５５はステップｓ５３と同時に、又はステップｓ５３に先行して行われる場合がある。さらに、サブフレーム依存電力オフセットΔＡＢＳは、シンボル依存電力比ρＡ及びρＢも有するように構成することができる。この場合、ステップｓ５３は省略することができる。
【０１１８】
上記の例示的な実施形態では、移動電話に基づく通信システムが記述された。当業者は理解するように、本出願において記述されたシグナリング技法は、他の通信システムにおいて利用することができる。他の通信ノード又はデバイスは、例えば、携帯情報端末、ラップトップコンピュータ、ウェブブラウザー等のユーザデバイスを含むことができる。当業者は理解するように、上記のシステムが移動通信デバイスのために用いられることは不可欠ではない。そのシステムを用いて、移動通信デバイスと同様に、又はその代わりに、１つ又は複数の固定コンピューティングデバイスを有するネットワークを改善することもできる。
【０１１９】
上記の例示的な実施形態では、複数のソフトウェアモジュールを説明した。当業者であれば理解するように、それらのソフトウェアモジュールは、コンパイル済みの形式又は未コンパイルの形式において与えることができ、コンピュータネットワークを介して信号として、又は記録媒体においてノードに供給することができる。さらに、このソフトウェアの一部又は全部によって実行される機能は、１つ又は複数の専用のハードウェア回路を用いて実行することもできる。しかしながら、ソフトウェアモジュールの使用は、その機能を更新するためにノードを更新することを容易にするので好ましい。同様に、上記の実施形態はトランシーバ回路を利用したが、トランシーバ回路の機能のうちの少なくとも幾つかはソフトウェアによって実行することができる。
【０１２０】
種々の他の変更は当業者には明らかであり、ここでは、これ以上詳しくは説明しない。
【０１２１】
以下は、現在提案されている３ＧＰＰ標準規格において本発明を実施することができる方法の詳細な記述である。種々の特徴が不可欠であるか、又は必要であるものとして説明されるが、これは、例えば、その標準規格によって課せられる他の要件に起因して、提案された３ＧＰＰ標準規格の場合にのみ当てはまる場合がある。それゆえ、これらの陳述は、本発明を多少なりとも限定すると解釈されるべきではない。
【０１２２】
３ＧＰＰ  ＴＳＧ  ＲＡＮ  ＷＧ１  Ｍｅｅｔｉｎｇ  ＃６８      Ｒ１−１２０８８８
提案元：      ＮＥＣグループ
タイトル：    非ゼロ送信電力ＡＢＳのためのシグナリングサポート
議題項目：    ７．３．１
文書目的：    議論及び決定
【０１２３】
１．序論
ＲＡＮ１＃６７において、以下のように、ＡＢＳにおける非ゼロ送信電力のためのシグナリングサポートを検討することに合意した［１］。
・ＡＢＳにおけるＤＬユニキャスト制御及びデータ送信時に低減された非ゼロ送信電力が必要とされる。
−詳細なシグナリングはＦＳＳである。
【０１２４】
本稿において、ＡＢＳにおけるＤＬユニキャスト制御及びデータ送信時の低減された非ゼロ送信電力のための詳細なシグナリングを論じる。
【０１２５】
２．議論
２．１  ＡＢＳにおける低減されたマクロセル送信電力のためのシグナリングサポート
Ｒｅｌ−１０において、［２］のセクション５．２において記述されるように、ρＡ又はρＢのいずれかによって表されるような、ＯＦＤＭシンボルごとのＰＤＳＣＨ  ＲＥ（ＥＰＲＥが０であるＰＤＳＣＨ  ＲＥには適用できない）の中で、ＰＤＳＣＨ  ＥＰＲＥ対セル固有ＲＳ  ＥＰＲＥの比を構成することによって、ダウンリンク送信電力の割当てがＵＥにシグナリングされる。ただし、ρＡ及びρＢは、より上位の層でシグナリングされるＵＥ固有パラメータＰＡ及びセル固有パラメータＰＢから導き出される。
【０１２６】
しかしながら、ＡＢＳサブフレームにおいて、低減された送信電力がサポートされる場合には、これらの値は、非ＡＢＳサブフレーム及びＡＢＳサブフレームの場合に同じでない場合がある。ＡＢＳサブフレームにおいて低減されたマクロ送信電力が適用されるとき、ＡＢＳサブフレーム内及び非ＡＢＳサブフレーム内のＣＲＳに対して、同じレベルの送信電力が割り当てられるべきである。それゆえ、ＵＥがＰＤＳＣＨ復調を実行し、ＡＢＳサブフレームのための正しいＣＱＩ報告サブセットを生成できるようにするために、ＵＥは、ＡＢＳサブフレームにおけるＰＤＳＣＨ  ＥＰＲＥとＣＲＳ  ＥＰＲＥとの間のオフセットを知る必要がある。
【０１２７】
この議論において、全ての送信モードが低減電力ＡＢＳサブフレームをサポートすべきであると仮定する。
【０１２８】
さらに、サービングセルにおいてＣＳＩ−ＲＳが構成される場合には、ＵＥは、ダウンリンクＣＳＩ−ＲＳ  ＥＰＲＥがダウンリンクシステム帯域幅にわたって一定であり、かつ全てのサブフレームにわたって一定であると仮定すべきである［２］。［２］のセクション７．２．５において記述されるように、ＰＣは、ＵＥがＣＳＩフィードバックを導き出すときに、ＰＤＳＣＨ  ＥＰＲＥ対ＣＳＩ−ＲＳ  ＥＰＲＥの仮定された比を表すパラメータであり、１ｄＢステップサイズで［−８，１５］ｄＢの範囲の値をとる［２］。それゆえ、ＣＱＩ推定のために５ｍｓ〜８０ｍｓごとに送信することができるＣＳＩ−ＲＳが構成される場合、ＡＢＳサブフレームのために、更なる１組のダウンリンク送信電力比、ＰＤＳＣＨ  ＥＰＲＥ対ＣＳＩ−ＲＳ  ＥＰＲＥも必要とされることになる。
【０１２９】
提案：ＡＢＳサブフレームにおいてＣＲＳ／ＣＳＩ−ＲＳに対するＰＤＳＣＨの異なる送信電力オフセットをサポートするために更なる１組のシグナリングを考える。
【０１３０】
オプション１
Ｒｅｌ−１０において、ＰＡの値範囲は｛−６ｄＢ、−４．７７ｄＢ、−３ｄＢ、−１．７７ｄＢ、０ｄＢ、１ｄＢ、２ｄＢ、３ｄＢ｝に限定される［４］。ＰＡが−６ｄＢに設定される場合、ＡＢＳサブフレームのために用いることができる、それより低いＰＡの値は存在しない。それゆえ、ＰＡ値の範囲を拡張する必要性があることを、ＲＡＮ１において幾らか論じる必要がある。
【０１３１】
ＣＲＳに基づく送信モードがサービングセルにおいて用いられる場合、ＩＥ  ＰｈｙｓｉｃａｌＣｏｎｆｉｇＤｅｄｉｃａｔｅｄ情報要素にオプションの情報要素ＩＥ  ＰＤＳＣＨ−ＣｏｎｆｉｇＤｅｄｉｃａｔｅｄ−ＡＢＳを追加する［３］。
【数６】
2015510282.tif 000009
【０１３２】
又は、以下の通りである。
【数７】
2015510282.tif 000010
【０１３３】
同様に、ＣＳＩ−ＲＳがサービングセルにおいて構成される場合、ＩＥ  ＣＳＩ−ＲＳ−Ｃｏｎｆｉｇに対してオプションの情報要素ｐ−ｃ−ｒ１１−ＡＢＳを追加する。
【数８】
2015510282.tif 000011
【０１３４】
オプション２
１組のＰＡ及びＰＣのみがＵＥにシグナリングされ、それは非ＡＢＳサブフレームに関するＲｅｌ−１０と同じである。しかしながら、ＰＡ又はＰＣに対するＡＢＳサブフレームのための電力低減が、より上位の層のシグナリングを介して、ＵＥに別に送信されることになる。例えば、影響を及ぼされる仕様書内の幾つかの部分が以下に与えられる。
−更なる３ｄＢオフセットを持つ４アンテナポートを用いる送信ダイバーシティの場合を除く、ＣＲＳに基づく送信方式の場合のＰＤＳＣＨの実際の送信電力（［２］のセクション５．２）：
ρＡは、δｐｏｗｅｒ−ｏｆｆｓｅｔ＋ΔＡＢＳ＋ＰＡ［ｄＢ］に等しい。
−更なる３ｄＢオフセットを持つ４アンテナポートを用いる送信ダイバーシティの場合を除く、ＣＲＳに基づくフィードバックの仮定されるＰＤＳＣＨ電力（［２］のセクション７．２．３）：
ρＡ＝ＰＡ＋ΔＡＢＳ＋Δｏｆｆｓｅｔ［ｄＢ］
−ＤＭ−ＲＳに基づく送信方式のＰＤＳＣＨの実際の送信電力：
ρＡは規定されないので無関係
−ＣＳＩ−ＲＳに基づくフィードバックの仮定されるＰＤＳＣＨ電力（［２］のセクション７．２．５）：
ＰＣ＋ΔＡＢＳ［ｄＢ］
ただし、ΔＡＢＳは非ＡＢＳサブフレームの場合に０ｄＢであり、ＡＢＳサブフレームの場合に、より上位の層によって与えられる。ΔＡＢＳもＵＥ固有とすることができる。
【０１３５】
この場合、ΔＡＢＳは、Ｒｅｌ−１１の場合にオプションの情報要素として［３］のＰＤＳＣＨ−ＣｏｎｆｉｇＣｏｍｍｏｎ又はＰＤＳＣＨ−ＣｏｎｆｉｇＤｅｄｉｃａｔｅｄのいずれかに追加することができ、１ｄＢステップサイズで［−１６，０］ｄＢの範囲内の値をとることができる。
【０１３６】
【表２】
2015510282.tif 000012
【０１３７】
さらに、Ｒｅｌ−１０において、ＵＥは実際にはＡＢＳパターンを知らず、「ｃｓｉ−ＭｅａｓＳｕｂ−ｆｒａｍｅＳｅｔ１−ｒ１０」及び「ｃｓｉ−ＭｅａｓＳｕｂ−ｆｒａｍｅＳｅｔ２−ｒ１０」としてシグナリングされる２つの測定サブセットのみを知っている［３］。しかしながら、ＡＢＳのための低減電力オフセットがＵＥにシグナリングされるとき、ＵＥは、それらの低減電力オフセットを正しいＣＳＩ測定サブフレームセットに適用する必要がある。
【０１３８】
その仮定は、ＡＢＳパターンは準静的に構成され、構成されたサブフレームサブセットのうちの一方が「ＡＢＳ」用であり、他方のサブセットが「非ＡＢＳ」用であることである。ＡＢＳパターンが変化する場合には、「ｃｓｉ−ＭｅａｓＳｕｂ−ｆｒａｍｅＳｅｔ」を再構成するために、ＲＲＣ再構成メッセージがＵＥに送信されなければならない。
【０１３９】
ＵＥは、少なくともＣＲＳに基づく送信の場合に、正しいオフセットを適用するために完全なＡＢＳパターンを知る必要があるので、幾つかの取り得る解決策は以下の通りである。
１）静的構成：例えば、「ｃｓｉ−ＭｅａｓＳｕｂ−ｆｒａｍｅＳｅｔ１−ｒ１０」がＡＢＳ用であり、「ｃｓｉ−ＭｅａｓＳｕｂ−ｆｒａｍｅＳｅｔ２−ｒ１０」が非ＡＢＳ用である。ネットワークはｃｓｉ−ＭｅａｓＳｕｂ−ｆｒａｍｅＳｅｔ−ｒ１１のうちの少なくとも１つをＡＢＳパターンと同一視しなければならない（例えば、ｃｓｉ−ＭｅａｓＳｕｂ−ｆｒａｍｅＳｅｔ１−ｒ１１＝ＡＢＳパターン）。
２）ＵＥへのＡＢＳパターンの準静的シグナリング（例えば、ＲＲＣシグナリング）。
【０１４０】
３．結論
この寄稿において、ＡＢＳにおけるＤＬユニキャスト制御及びデータ送信時の低減された非ゼロ送信電力のための詳細なシグナリングを論じた。議論に基づいて以下の提案がなされた。
【０１４１】
提案：ＡＢＳサブフレームにおいてＣＲＳ／ＣＳＩ−ＲＳに対するＰＤＳＣＨの異なる送信電力オフセットをサポートするために更なる１組のシグナリングを考える。
【０１４２】
参考文献
［１］  RAN1 Chairman’s Notes, RAN1#67
［２］  3GPP, TR36.213 （V10.4.0）「E-UTRA; Physical layer procedures」Dec 2011
［３］  3GPP TS 36.331「Evolved Universal Terrestrial Radio Access (E-UTRA)」Radio Resource Control (RRC) protocol specification
【０１４３】
３ＧＰＰ  ＴＳＧ  ＲＡＮ  ＷＧ１  Ｍｅｅｔｉｎｇ
提案元：      ＮＥＣグループ
タイトル：    非ゼロ送信電力ＡＢＳのためのシグナリングサポート
議題項目：    ７．３．１
文書目的：    議論及び決定
【０１４４】
１．序論
ＲＡＮ１＃６７において、ＡＢＳにおける非ゼロ送信電力のためのシグナリングサポートを検討することに合意した［１］。本稿において、更なるシグナリングサポートが必要とされるシナリオを確認し、幾つかの取り得る解決策を提案する。
【０１４５】
２．議論
２．１  時間及び周波数領域ＩＣＩＣの共存への影響
ＡＢＳサブフレームがデータチャネルスケジューリングを一切含まないときの、時間領域及び周波数領域ＩＣＩＣの共存がＲＡＮ３への回答ＬＳにおいて論じられ、明確にされた［２］。しかしながら、Ｒｅｌ−１１において非ゼロ電力ＡＢＳが導入される場合でも、ＡＢＳサブフレームにおいて（ｅ−）ＰＤＣＣＨ、ＰＤＳＣＨ及びＰＵＳＣＨがスケジューリングされる場合があるので、非ゼロ電力ＡＢＳの場合に時間領域及び周波数領域ＩＣＩＣの共存を再び調査しなければならない。周波数内隣接セル間で負荷及び干渉協調情報を転送するために、ｅＮＢによって隣接するｅＮＢに負荷指示手順が送信される［３］。
【０１４６】
ｅＮＢが、周波数内隣接セル間で干渉協調情報を転送するために、負荷情報において１組の以下のＩＥを送信する。受信側ｅＮＢは、受信された情報を直ちに適用可能とみなすべきである［３］。
【０１４７】
２．２  ダウンリンク相対狭帯域Ｔｘ電力（ＲＮＴＰ）における時間領域及び周波数領域ＩＣＩＣの共存（［４］）
このＩＥは、セル内のＰＲＢ当たりのＤＬ電力制限に関する指示、及び干渉認識スケジューリング用の隣接ｅＮＢによって必要とされる他の情報を提供する。
【０１４８】
報告される相対狭帯域ＴＸ電力指示ＲＮＴＰ（ｎＰＲＢ）の決定は以下のように定義される。
【数９】
2015510282.tif 000013
ただし、ＥＡ（ｎＰＲＢ）は、考えられる将来の時間間隔においてアンテナポートｐ上でのこの物理リソースブロックにＲＳを含まないＯＦＤＭシンボル内のＵＥ固有ＰＤＳＣＨ  ＲＥの最大対象ＥＰＲＥであり、ｎＰＲＢは物理リソースブロック番号、ｎＰＲＢ＝０，．．．，ＮＲＢＤＬ−１であり、ＲＮＴＰｔｈｒｅｓｈｏｌｄは以下の値のうちの１つをとる。
【数１０】
2015510282.tif 000014
【０１４９】
リリース１１において、ＥＡ（ｎＰＲＢ）は、考えられる将来の時間間隔においてアンテナポートｐ上でのこの物理リソースブロックにＲＳを含まないＯＦＤＭシンボル内のＵＥ固有ＰＤＳＣＨ／（ｅ−ＰＤＣＣＨ）ＲＥの最大対象ＥＰＲＥであるべきである。ＡＢＳにおいて非ゼロ送信電力がサポートされる場合には、ＲＮＴＰｔｈｒｅｓｈｏｌｄは非ゼロ電力ＡＢＳサブフレーム及び非ＡＢＳサブフレームの場合に異なることができ、ＡＢＳサブフレーム及び非ＡＢＳサブフレームに対して異なるＲＮＴＰｔｈｒｅｓｈｏｌｄ設定を適用することができる。現在のＲｅｌ−１０仕様［４］では、Ｘ２メッセージ伝送が適用可能であるサブフレームを示す情報要素フィールドは存在しないので、受信側ｅＮＢは、Ｘ２メッセージ伝送がＡＢＳサブフレームを対象とするか、又は非ＡＢＳサブフレームを対象とするかを知らない。
【０１５０】
別の例は、Ｒｅｌ−１１  ＡＢＳサブフレーム（すなわち、非ゼロ電力ＡＢＳサブフレーム）内にｅ−ＰＤＣＣＨが存在するとき、マクロセルの対応するリソース（ＰＲＢ）が、ＰＤＳＣＨ用に定義された同じ低減された送信電力を順守しないことである。ｅ−ＰＤＣＣＨ用の電力は、最大ｅＮＢ出力電力に基づいて独立して設定される。ｅ−ＰＤＣＣＨの周波数領域における場所は、ＡＢＳサブフレーム及び非ＡＢＳサブフレームの場合に同じでない場合がある。それゆえ、ＡＢＳサブフレームにおいてどのＰＲＢが低減された電力を順守していないかを示すために、周波数領域ＩＣＩＣに関する別のＲＮＴＰシグナリングが必要とされる。非ゼロ送信電力ＡＢＳサブフレーム及び非ＡＢＳサブフレームにおいて、それぞれ、ピコセルがこれらのＰＲＢにおいてセルエッジユーザをスケジューリングするのを回避できるように、ｅ−ＰＤＣＣＨ用のこの周波数領域ＩＣＩＣが、ピコセルにシグナリングされる必要がある。
【０１５１】
提案１：セル内のＰＲＢ当たりのＤＬ電力制限、及び干渉認識スケジューリング用の隣接ｅＮＢによって必要とされる他の情報を示すために、更なるオプションの１組のＲＮＴＰ  ＩＥを追加する。
【０１５２】
ＤＬ過負荷指示（ＤＬ  ＯＩ）：
Ｒｅｌ−１１において非ゼロ送信電力ＡＢＳを導入した後に、マクロｅＮＢのカバレッジエリア内に位置したピコｅＮＢにキャンプオンされたピコＵＥは、ピコｅＮＢの場所及びピコＵＥのトラフィック分布に応じて、全く異なる干渉レベルに遭遇する場合がある。
【０１５３】
カバレッジを維持し、かつピコｅＮＢで遭遇する干渉レベルを軽減するために、マクロｅＮＢは、非ゼロ電力ＡＢＳサブフレーム内の異なるＰＲＢにおいて異なる電力レベルを送信することができる。しかしながら、マクロｅＮＢは、ピコセルにキャップオンされたＵＥのトラフィック分布を知らないので、ピコＵＥに対して高い干渉を引き起こさない、ＡＢＳサブフレーム内の最適な送信電力設定を知らない。マクロｅＮＢのカバレッジエリア内に複数のピコセルが存在する場合、マクロｅＮＢが或る特定のＰＲＢ上の電力を最適なレベルまで低減することができるように、ピコｅＮＢに対してマクロｅＮＢに干渉レベルを示すことが有用になる。それゆえ、本発明者らは、ピコｅＮＢに対して、ＡＢＳサブフレーム（すなわち、非ゼロ電力ＡＢＳサブフレーム）内のＰＲＢごとに高干渉指示を示すことを提案する。ピコｅＮＢは、既存のＲＳＲＰ／ＲＳＲＱ測定、経路損失推定及びＵＥからのＣＱＩ報告に基づいて各ＰＲＢ上の干渉レベルを算出することができる。
【０１５４】
マクロｅＮＢは、そのカバレッジエリア内の全てのピコｅＮＢの総合的な統計データ（例えば、ＡＢＳ内のＤＬ  ＯＩから計算される）に基づいて、ＡＢＳサブフレーム内の或る特定のＰＲＢ上のその送信電力を（段階的に）低減することによって、ＤＬ  ＯＬメッセージ伝送に応答することができる。これは、図６に示される、ＳＯＮ使用事例である。
【０１５５】
提案２：セル情報ＩＥに対してオプションのＤＬ過負荷指示ＩＥを追加する。
【０１５６】
ＤＬ過負荷指示
このＩＥは、ＰＲＢごとに、干渉過負荷に関する報告を提供する。
【０１５７】
【表３】
2015510282.tif 000015
【０１５８】
２．３  アップリンクにおける時間領域及び周波数領域ＩＣＩＣの共存
アップリンクにおいて、Ｒｅｌ−１０では、マクロセルの全てのユーザを非ＡＢＳサブフレームにおいてスケジューリングすることができるが、ＡＢＳサブフレームでは、マクロユーザをスケジューリングすることができない。Ｒｅｌ−１１において非ゼロ電力ＡＢＳがサポートされる場合、マクロセル中央のユーザは、マクロセルのシステムスループットを改善するために、ＡＢＳサブフレームにおいてスケジューリングされる場合がある。しかしながら、ＨｅｔＮｅｔシナリオでは、マクロセルのセル中央ユーザがピコセルのセルエッジユーザに近い場合があるということが起こり得る。いずれにしても、ピコｅＮＢにおいて、ＡＢＳサブフレーム及び非ＡＢＳサブフレームにおいて遭遇するＵＬ干渉レベルは異なることになる。
【０１５９】
マクロｅＮＢは、ピコｅＮＢにＵＰ  ＨＩＩを送信して（逆の場合も同じ）、Ｒｅｌ−１１  ＡＢＳサブフレームにおいてＵＥをスケジューリングするという意向を通知し、それにより、ピコｅＮＢは、マクロｅＮｏｄｅＢによって示されたようなＡＢＳ内の或る特定のＰＲＢ上でセルエッジユーザをスケジューリングするのを回避することができる。
【０１６０】
非ＡＢＳサブフレームでは、マクロｅＮＢは、周波数領域ＩＣＩＣ制限を順守せず、全てのＰＲＢにわたって全てのユーザをスケジューリングする場合があるか、又は更に高い割合のＰＲＢリソースを利用する異なるＨＩＩパターンを順守する場合がある。
【０１６１】
それゆえ、周波数領域ＩＣＩＣのために以下のアップリンクＸ２メッセージ伝送ＩＥ［４］への影響もあると考える。
【０１６２】
ＵＬ高干渉指示（ＨＩＩ）［３］
このＩＥは、ＰＲＢごとに、干渉感度に関する２レベル報告を提供する。
【０１６３】
【表４】
2015510282.tif 000016
【０１６４】
ＵＬ干渉過負荷指示（ＯＩ）［３］
また、ＵＬ  ＯＩは、低減電力ＡＢＳサブフレームにおいて適用され得、それゆえ、もしマクロｅＮＢ又はピコｅＮＢがＡＢＳサブフレームにおいて高い干渉に遭遇する場合には、そのｅＮＢはＵＬ  ＯＩを送信して、干渉している隣接するｅＮＢに示すことができる。
【０１６５】
ピコｅＮＢにおいて、ＡＢＳサブフレーム及び非ＡＢＳサブフレームにおいて遭遇したＵＬ干渉レベルはＰＲＢにわたって異なる場合があるので、Ｒｅｌ−１１において、更なる組のＵＬ  ＨＩＩ及びＵＬ  ＯＩ  ＩＥが必要とされる。
【０１６６】
【表５】
2015510282.tif 000017
【０１６７】
このＩＥは、ＰＲＢごとに、ｅＮＢが各ＰＲＢ内の平均ＵＬ干渉の測定値を示す干渉過負荷に関する報告を提供する。
【０１６８】
【表６】
2015510282.tif 000018
【０１６９】
提案３：１つの負荷指示手順において周波数領域ＩＣＩＣメッセージ伝送用のセル情報ＩＥ内に非ゼロ電力ＡＢＳサブフレームに関連するオプションの更なる１組のＵＬ  ＨＩＩ  ＩＥを追加する。
【０１７０】
提案４：１つの負荷指示手順において周波数領域ＩＣＩＣメッセージ伝送用のセル情報ＩＥ内に非ゼロ電力ＡＢＳサブフレームに関連するオプションの更なる１組のＵＬ  ＯＩ  ＩＥを追加する。
【０１７１】
要するに、ＡＢＳにおいて非ゼロ送信電力をサポートするために、Ｘ２負荷指示メッセージを拡張する必要がある。
【０１７２】
本発明者らは、以下の解決策を提案する。
（１）セル情報ＩＥが適用可能である対応するサブフレームを示すために、「ＡＢＳ」、「非ＡＢＳ」の値をとるオプションの列挙情報要素フィールドを追加する。存在しない場合には、周波数領域ＩＣＩＣ用の負荷情報内のセル情報ＩＥがＡＢＳサブフレーム及び非ＡＢＳサブフレームの両方に適用可能である。これは、Ｒｅｌ−１０  ＵＥに対する後方互換性が維持されるようにする。
（２）ＡＢＳサブフレーム及び非ＡＢＳサブフレーム用のセル情報ＩＥを同時に更新できるようにするために、ＡＢＳサブフレーム用の１つの負荷指示手順において、オプションで更なる１組のセル情報ＩＥを追加する。非ＡＢＳサブフレーム用の既存のセル情報ＩＥを再利用することができる。
【０１７３】
結論
本稿において、低減電力ＡＢＳの影響を論じ、時間領域及び周波数領域ＩＣＩＣが共存する場合に更なるシグナリングサポートが必要とされるシナリオを特定した。議論に基づいて以下の提案がなされた。
【０１７４】
提案１：セル内のＰＲＢ当たりのＤＬ電力制限、及び干渉認識スケジューリング用の隣接ｅＮＢによって必要とされる他の情報を示すために、更なるオプションの１組のＲＮＴＰ  ＩＥを追加する。
【０１７５】
提案２：セル情報ＩＥに対してオプションのＤＬ過負荷指示ＩＥを追加する。
【０１７６】
提案３：１つの負荷指示手順において周波数領域ＩＣＩＣメッセージ伝送用のセル情報ＩＥ内に非ゼロ電力ＡＢＳサブフレームに関連するオプションの更なる１組のＵＬ  ＨＩＩ  ＩＥを追加する。
【０１７７】
提案４：１つの負荷指示手順において周波数領域ＩＣＩＣメッセージ伝送用のセル情報ＩＥ内に非ゼロ電力ＡＢＳサブフレームに関連するオプションの更なる１組のＵＬ  ＯＩ  ＩＥを追加する。
【０１７８】
提案５：非ＡＢＳサブフレーム又は「非ゼロ電力ＡＢＳ」サブフレームの場合にセル情報ＩＥが適用可能であることを示すオプションのＩＥを追加する。存在しない場合には、セル情報ＩＥが非ＡＢＳサブフレーム及び「非ゼロ電力ＡＢＳ」サブフレームの両方に適用可能である。リリース１０におけるセル情報ＩＥは、ＲＮＴＰ  ＩＥ、ＵＬ  ＨＩＩ  ＩＥ及びＵＬ  ＯＩ  ＩＥを含むことに留意されたい。
【０１７９】
１つの負荷指示手順において更なる１組のセル情報ＩＥを追加すること（提案１〜４の場合と同様）によって、非ＡＢＳサブフレーム又は「非ゼロ電力ＡＢＳ」サブフレーム用のセル情報ＩＥを同時に更新できるようになる。１つのセル情報ＩＥしか存在しない場合には、このサブフレームタイプ指示ＩＥが、セル情報ＩＥの更新が、非ＡＢＳサブフレームに関する更新であるか、又は「非ゼロ電力ＡＢＳ」サブフレームに関する更新であることを示す。
【０１８０】
この出願は、２０１２年２月８日に出願された英国特許出願第１２０２２１６．６号を基礎とする優先権を主張し、その開示の全てをここに取り込む。
【０１８１】
参考文献
［１］  RAN1 Chairman’s Notes, RAN1#67
［２］  R1-111197「LS reply on coexistence of frequency domain and time domain  ICIC」RAN1
［３］  3GPP TS 36.423「Evolved Universal Terrestrial Radio Access (E-UTRA); X2 application protocol (X2AP)」
［４］  3GPP, TR36.213 (V10.4.0)「E-UTRA; Physical layer procedures」Dec-2011
【図１】
2015510282.tif 000019
【図２】
2015510282.tif 000020
【図３】
2015510282.tif 000021
【図４】
2015510282.tif 000022
【図５】
2015510282.tif 000023
【図６】
2015510282.tif 000024
【国際調査報告】
2015510282.tif 000025
2015510282.tif 000026
2015510282.tif 000027
2015510282.tif 000028
2015510282.tif 000029
2015510282.tif 000030